(57)【要約】【課題】処理部の寿命を延ばすことができる制御装置等の提供。【解決手段】制御装置は、入力された入力信号の信号処理を行い得る複数の処理部から、各処理部において行われた過去の前記信号処理に係る処理時間を表す値の積算値が前記積算値の最大値より小さい一の処理部の選択を行い、前記一の処理部に前記入力信号を入力する。【選択図】      図１
2018022975.tif 000002
【特許請求の範囲】
【請求項１】
入力された入力信号の信号処理を行い得る複数の処理部から、各処理部において行われた過去の前記信号処理に係る処理時間を表す値の積算値が前記積算値の最大値より小さい一の処理部の選択を行い、前記一の処理部に前記入力信号を入力する、制御装置。
【請求項２】
前記処理時間を表す値が、呼に係る前記信号処理に割り当てられた時間である、請求項１に記載された制御装置。
【請求項３】
前記処理部の選択を、前記処理部の選択を行うことを判定した場合に行う、請求項１又は請求項２に記載された制御装置。
【請求項４】
前記処理部の選択を、前記積算値が所定の閾値より少ない処理部について優先的に行う、請求項１乃至請求項３のうちのいずれか一に記載された制御装置。
【請求項５】
前記処理部の選択を、前記積算値が最小値から所定の範囲内にある前記積算値の処理部について優先的に行う、請求項１乃至請求項４のうちのいずれか一に記載された制御装置。
【請求項６】
前記処理部の選択を、前記積算値が最小値から前記積算値の少なさにおいて所定の順位内にある前記積算値の処理部について優先的に行う、請求項１乃至請求項５のうちのいずれか一に記載された制御装置。
【請求項７】
前記積算値を前記処理部から送られる前記処理時間を表す値から導出する、請求項１乃至請求項６のうちのいずれか一に記載された制御装置。
【請求項８】
前記処理部が前記信号処理を行うための複数のチャネルを備え、前記複数のチャンネルから、前記信号処理を行わせるための、一または二以上のチャネルの選択を行う、請求項１乃至請求項７のうちのいずれか一に記載された制御装置。
【請求項９】
呼制御を行う中央演算処理装置の使用率を測定する稼働率測定部をさらに備え、前記使用率から、チャネルの選択の優先順位を定める、請求項８に記載された制御装置。
【請求項１０】
入力された入力信号の信号処理を行い得る複数の処理部から、各処理部の過去の呼に係る処理に割り当てられた時間の積算値が前記積算値の最大値より小さい一の処理部の選択を行う、制御方法。
【発明の詳細な説明】
【技術分野】
【０００１】
本発明は、通信装置に関する。
【背景技術】
【０００２】
無線通信装置において、無線リソースの割り当てを行う方法がいくつか開示されている。
【０００３】
例えば、特許文献１は、無線チャネルを割り当てるために必要な無線リソース量を決定し、要求された無線リソース量に応じて、無線リソース量の確保や無線チャネルの移動を行う無線基地局を開示する。特許文献１は、無線リソース量を確保でき、かつ、空き無線リソース量の少ない無線チャネル信号処理部から順に選択優先順位が高くなるようにするチャネルの選択方法を開示する。特許文献１には、当該選択方法により、空き無線リソース量の少ない無線チャネル信号処理部が集中的に選択される旨が記述されている。特許文献１には、また、当該選択方法により、各無線チャネル信号処理部に無線リソースが分散されることがなくなる旨が記述されている。そして、特許文献１には、当該選択方法により、無線リソースを多く使用する無線チャネルにリソースが割り当てられなくなる状態（リソースを割り当てられる無線チャネル信号処理部が存在しない状態）を防ぐことができる旨が記述されている。
【０００４】
また、本発明に関連して、特許文献２は、呼制御を行う中央演算処理装置（ＣＰＵ）の使用率を測定し、前記使用率によりチャネルの再配置処理を行う無線リソース管理方法を開示する。
【先行技術文献】
【特許文献】
【０００５】
【特許文献１】特開２００４−２８２４６９号公報
【特許文献２】特許第３８０３７２６号公報
【発明の概要】
【発明が解決しようとする課題】
【０００６】
特許文献１が開示する方法は、処理中のある時点において、無線リソースを各無線チャネル信号処理部に分散させるか否かのみに着目するものである。各無線チャネル信号処理部の寿命には、処理中のある時点において、無線リソースを各無線チャネル信号処理部に分散させるか否かは関係ない。各無線チャネル信号処理部の寿命は、各無線チャネル信号処理部における、過去における処理時間に依存する。そのため、特許文献１が開示する方法は、無線チャネル信号処理部の寿命をより短くする、無線リソースの配置をする場合があるという問題がある。
【０００７】
本発明は、処理部の寿命を長くすることができる制御装置等の提供を目的とする。
【課題を解決するための手段】
【０００８】
本発明の制御装置は、入力された入力信号の信号処理を行い得る複数の処理部から、各処理部において行われた過去の前記信号処理に係る処理時間を表す値の積算値が前記積算値の最大値より小さい一の処理部の選択を行い、前記一の処理部に前記入力信号を入力する。
【発明の効果】
【０００９】
本発明の制御装置等は、処理部の寿命をより長くすることができる。
【図面の簡単な説明】
【００１０】
【図１】本実施形態の無線基地局を適用し得る通信システムの構成例を表す概念図である。
【図２】本実施形態の制御装置の構成例を表す概念図である。
【図３】選択部の構成例を表す概念図である。
【図４】第一切替部、第二切替部及び第三切替部の構成例を表す概念図（その一）である。
【図５】第一切替部、第二切替部及び第三切替部の構成例を表す概念図（その二）である。
【図６】選択部が行う処理の処理フロー例を表す概念図である。
【図７】図６に表すＳ１０２の処理の処理フロー例を表す概念図である。
【図８】置き換える処理の処理フローを表す概念図である。
【図９】集計部が行う処理の処理フロー例を表す概念図である。
【図１０】新たに呼を割り当てる予定の処理部を設定する処理の処理フロー例を表す概念図である。
【図１１】本実施形態の制御装置の第二の構成例を表す概念図である。
【図１２】本発明の制御装置の最小構成を表す概念図である。
【発明を実施するための形態】
【００１１】
［構成と動作］
図１は、本実施形態の無線基地局を適用し得る通信システムの例である通信システム１００の構成を表す概念図である。
【００１２】
通信システム１００は、無線基地局１１と、移動局群１３１と、公衆網３３と、ユーザ端末群１３２とを備える。
【００１３】
無線基地局１１は、アンテナ１５と、処理部群１２と、制御装置１３と、インタフェース１４とを備える。
【００１４】
処理部群１２は、処理部１２１乃至処理部１２ＮのＮ個の処理部を備える。
【００１５】
移動局群１３１に属する各移動局（移動局群１３１内に表す各四角形）は、無線回線により無線基地局１１との間で通信を行うことができる。移動局３１は移動局群１３１に属するある移動局である。移動局３１は、無線回線である回線３９ｃを介して、無線基地局１１と通信を行う。なお、移動局群１３１が備える移動局の数は任意である。
【００１６】
ユーザ端末群１３２に属する各ユーザ端末（ユーザ端末群１３２内に表す各四角形）は公衆網３３に接続されている。ユーザ端末３２は、ユーザ端末群１３２に属するあるユーザ端末である。なお、ユーザ端末群１３２に属するユーザ端末の数は任意である。
【００１７】
移動局群１３１に属する移動局の一部がユーザ端末群に属するユーザ端末の一部である場合も想定され得る。
【００１８】
ユーザ端末３２は、回線３９ｂを介して公衆網３３に接続されている。ユーザ端末３２は、例えば、無線端末やコンピュータである。
【００１９】
無線基地局１１は、移動局３１を回線３９ｃ及び回線３９ａを通じて公衆網３３に接続し得る。
【００２０】
処理部群１２の各処理部は、アンテナ１５から制御装置１３を介して信号を受けた場合には、当該信号の処理（第一の処理）を行い得る。そして、各処理部は、処理後の信号を制御装置１３、インタフェース１４及び回線３９ａを介して公衆網３３に送り得る。また、各処理部は、公衆網３３から、インタフェース１４及び制御装置１３を介して信号が入力された場合には、当該信号の処理（第二の処理）を行いうる。そして、各処理部は、処理後の信号を、制御装置１３及びアンテナ１５及び回線３９ｃを介して、移動局３１に送り得る。
【００２１】
制御装置１３は、処理部群１２から、上記第一の処理及び第二の処理を行わせるための一の処理部を選択する。そして、あるタイミングで処理部群１２から選択する処理部の切り替えを行う。
【００２２】
制御装置１３は、また、アンテナ１５から入力された信号を、選択している処理部に送り前記第一の処理を行わせる。そして、制御装置１３は、当該処理部において前記第一の処理が行われた後の信号を受け取り、前記第一の処理が行われた後の信号をインタフェース１４及び回線３９ａを介して、公衆網３３に送る。
【００２３】
制御装置１３は、また、公衆網３３からインタフェース１４を介して入力された信号を、選択している処理部に送る。そして、当該処理部において前記第二の処理が行われた後の信号を受け取り、前記第二の処理が行われた後の信号をアンテナ１５及び回線３９ｃを介して、移動局３１に送る。
【００２４】
アンテナ１５は、制御装置１３から送られた前記第二の処理が行われた後の信号を、回線３９ｃを介して、移動局３１に送る。アンテナ１５は、また、移動局３１が無線空間に放出した無線電波を受信し、電気信号に変換し、変換後の電気信号を制御装置１３に送る。
【００２５】
インタフェース１４は、制御装置１３から送られた前記第一の処理が行われた後の信号を、回線３９ａを介して、公衆網３３に送る。インタフェース１４は、また、公衆網３３から回線３９ａを介して送られた信号を制御装置１３に送る。
【００２６】
いま、ユーザ端末３２が移動局３１に向けて、新たな呼に係る情報信号を発信した場合に通信システムが行う動作について説明する。ここで、「情報信号」は情報を含む信号をいう。
【００２７】
ここで、「呼」は無線基地局１１より上位の、公衆網３３が備える図示しない管理装置により定められる情報信号の送受信の単位である。呼は、例えば、ユーザ端末３２の電話番号やＩＰアドレスと、移動局３１の電話番号やＩＰアドレスとの組み合わせ、及び、ユーザ端末３２と無線基地局１１との情報信号の送受信のタイミングで定められる。例えば、ユーザ端末３２と無線基地局１１との間の情報信号の送受信が音声通話である場合は、通話中の一連の音声信号のやり取りが一つの呼になり得る。また、ユーザ端末３２と無線基地局１１との間の情報信号の送受信がインターネット情報の送受信である場合は、例えばユーザ端末３２と無線基地局１１との間の、所定の一定期間内のインターネット情報の送受信が一つの呼になり得る。
【００２８】
制御装置１３は、インタフェース１４から送られた新たな呼に係る情報信号を送る処理部群１２の一つの処理部を選択する。そして、制御装置１３は、あるタイミングで、当該一つの処理部の選択を切り替える。当該タイミングは、例えば、ある等しい時間間隔である。
【００２９】
制御装置１３は、当該処理部の選択を切り替える際の当該処理部の選択を、制御装置１３が、過去に、各処理部に呼が割り当てられた時間の合計（積算時間）により求めた選択の優先順位により行う。制御装置１３は、当該優先順位を、例えば、前記積算時間が少ない処理部の優先順位が高くなるように行う。制御装置１３は、例えば、各処理部についての前記積算時間の集計結果を図示しない記録部に保持しているものとする。
【００３０】
ユーザ端末３２が移動局３１に向けて発信する、新たな呼に係る情報信号は、回線３９ｂ、公衆網３３及び回線３９ａを通じて、無線基地局１１のインタフェース１４に入力される。インタフェース１４に入力された情報信号は制御装置１３に送られる。
【００３１】
そして、制御装置１３は、インタフェース１４から送られた情報信号を、その時点で選択している一つの処理部に送り、送った信号について前記第二の処理を当該処理部に行わせる。
【００３２】
当該処理部は、制御装置１３から送られた情報信号が新たな呼に係るものであることを識別する。そして、新たな呼に係る情報信号を受けた旨を制御装置１３に送る。
【００３３】
そして、当該処理部は、制御装置１３から送られた情報信号に対し上述の第二の処理を行う。そして、制御装置１３は、第二の処理後の信号を当該処理部から受け取る。当該処理後の信号は、アンテナ１５を駆動するための駆動信号である。そして、制御装置１３は、当該駆動信号を、アンテナ１５に送り、アンテナ１５に無線空間に対する電波の放出を行わせる。
【００３４】
制御装置１３から、ユーザ端末３２からの情報信号を受けた処理部は、当該情報信号をアンテナ１５を駆動するための駆動信号に変換し、制御装置１３に送る。
【００３５】
アンテナ１５は、当該処理部により印加される駆動信号により駆動され、無線空間に対して電波を放出する。当該電波は、無線による回線である回線３９ｃとして、移動局３１に到達する。
【００３６】
移動局３１は、回線３９ｃを通じて無線によりアンテナ１５が送る情報信号を受信する。移動局３１は、例えば移動端末である。
【００３７】
一方、移動局３１がユーザ端末３２に対し、当該呼に係る情報を送信する場合は、移動局３１は、まず、無線による回線３９ｃを通じて、アンテナ１５に当該呼に係る情報を含む無線信号を送る。
【００３８】
そして、アンテナ１５は、受けた無線信号を電気信号に変換し、変換後の電気信号を制御装置１３に送る。
【００３９】
制御装置１３は、当該変換後の電気信号を当該呼のために制御装置１３により選択されている処理部群１２の処理部に送る。
【００４０】
制御装置１３から情報信号を受け取った処理部は、前記第一の処理を行う。そして、前記第一の処理後の信号を、制御装置１３及びインタフェース１４を介して、回線３９ａに送信する。
【００４１】
回線３９ａに送信された信号は、公衆網３３及び回線３９ｂを介して、ユーザ端末３２に到達する。
【００４２】
当該呼について、その後にユーザ端末３２から送られる情報信号は上述の動作と同様の動作により移動局３１に到達する。
【００４３】
また、当該呼について、その後に移動局３１から送られる情報信号は上述の動作と同様の動作によりユーザ端末３２に到達する。
【００４４】
当該呼についての情報信号の、移動局３１とユーザ端末３２との上記やり取りは、いずれは終了する。当該終了は、情報信号が音声信号の場合は、例えば移動局３１またはユーザ端末３２からの切断操作により生じる。また、当該終了は、情報信号がインターネット情報の場合は、例えば、所定の時間の経過により生じる。
【００４５】
当該処理部は、当該呼についての前記やり取りの終了を認識する。そして、当該処理部は、前記やり取りの終了を制御装置１３に通知する。
【００４６】
次に、移動局３１が、ユーザ端末３２に対して、新たな呼に係る情報信号を発信する場合に通信システム１００が行う動作は、上述の、ユーザ端末３２が移動局３１に対して新たな呼に係る情報信号を移動局３１に対して発信する場合の動作と同じである。ただし、選択された処理部が新たな呼に係る情報信号の到着を認識する動作は、アンテナ１５から当該処理部に送られた新たな呼に係る情報信号の到着により、当該処理部において行われる。
【００４７】
図２は、図１に表す制御装置１３の例である制御装置１３ａの構成を表す概念図である。図２には、図１に表す処理部群１２を併せて表してある。
【００４８】
制御装置１３ａは、選択部２１ａと、集計部２２ａと、タイマー２３ａと、記録部２４ａと、端子２９ａ、２９ｂとを備える。
【００４９】
端子２９ａは、図１に表すアンテナ１５に接続される。また、端子２９ｂは、図１に表すインタフェース１４に接続される。
【００５０】
選択部２１ａは、インタフェース１４から送られた新たな呼に係る情報信号を送る処理部群１２の一つの処理部を選択する。そして、選択部２１ａは、あるタイミングで、当該一つの処理部の選択を切り替える。当該タイミングは、例えば、ある等しい時間間隔である。選択部２１ａは当該選択の切り替えを集計部２２ａから送られる情報により行う。
【００５１】
端子２９ａ若しくは端子２９ｂから新たな呼に係る情報信号が入力された場合、入力された当該呼に係る情報信号を、その時に選択されている処理部に送り、入力された情報により当該処理部に所定の処理を行わせる。当該所定の処理は、前記第一の処理及び前記第二の処理のいずれかである。そして、選択部２１ａは、処理後の情報信号を当該処理部から受け取る。そして、選択部２１ａは、端子２９ａに入力された信号についての第一の処理後の信号を端子２９ｂに、端子２９ｂに入力された信号についての第二の処理後の信号を端子２９ａに、それぞれ出力する。
【００５２】
選択部２１ａは、また、新たな呼に係る情報信号の当該処理部への到着を表す通知（第一通知）を集計部２２ａに対して行う。選択部２１ａは、第一通知を、当該処理部から送られた情報により行う。選択部２１ａは、また、当該呼に係る一連の情報信号の処理部へ到着の一続きが終了したときは、当該一続きの終了を表す通知（第二通知）を集計部２２ａに対して行う。選択部２１ａは、第二通知を、当該処理部から送られる当該終了を表す情報により行う。
【００５３】
集計部２２ａは、選択部２１ａから、前記第一通知を受けた場合は、タイマー２３ａを作動させる。
【００５４】
集計部２２ａは、選択部２１ａから、前記第二通知を受けた場合は、タイマー２３ａの作動を停止させ、タイマー２３ａから経過時間を読み取る。そして、集計部２２ａは、記録部２４ａから、当該処理部についての過去の呼割当時間の積算値を読み出す。ここで、「呼割当時間」は、処理部が、呼に係る情報信号の処理に割り当てられた時間をいうものとする。また、記録部２４ａには、処理部群１２の各処理部についての呼割当時間が記録されているものとする。集計部２２ａは、前記割当時間の積算値に前記経過時間を加えた値を新たな前記割当時間の積算値とする。そして、新たな前記割当時間の積算値で、その処理部について記録部２４ａに記録された前記割当時間の積算値を更新する。
【００５５】
集計部２２ａは、あるタイミングで、選択部２１ａに対し、処理部群１２の処理部を選択するための指示情報を送る。当該タイミングは例えばある時間間隔のタイミングである。集計部２２ａは、当該指示情報を、当該指示情報の導出時点における、処理部群１２の各処理部の過去の呼割当時間の積算値により決定する。集計部２２ａは、当該指示情報を、例えば、当該積算値がより小さい処理部の選択の優先順位を高くするよう導出する。
【００５６】
タイマー２３ａは、集計部２２ａからの指示により、当該指示時点からの経過時間の計測を行う。タイマー２３ａは、また、集計部２２ａからの指示により、当該計測を停止し、停止時点の経過時間を集計部２２ａに送る。
【００５７】
記録部２４ａは、集計部２２ａが指示する情報を記録する。記録部２４ａは、集計部２２ａが指示する情報を読み出し、集計部２２ａに送る。
【００５８】
図３は、図２に表す選択部２１ａの例である選択部２１ｂの構成を表す概念図である。図３には、図２に表す処理部群１２の一つの処理部の例である処理部１２ｘｂと、所定の端子２９ａａ、２９ａｂ、２９ｂａ、２９ｂｂと、回線３６ａ、３７ａ、３７ｂ、３７ｃ、３７ｄ、３８ａ、３８ｂ、３８ｃ、３８ｄとを併せて示してある。ここで、端子２９ａａ、２９ａｂは、双方合わせて、図２に表す端子２９ａに相当する。また、端子２９ｂａ、２９ｂｂは、双方合わせて、図２に表す端子２９ｂに相当する。また、回線３６ａ、３７ｂ、３７ｃ、３８ｂ、３８ｃは５本合わせて、図２に表す回線３５ｘに相当する。
【００５９】
選択部２１ｂは、第一切替部２１２ａと、第二切替部２１３ａと、第三切替部２１５ａと、制御部２１４ａとを備える。
【００６０】
処理部１２ｘｂは、送信処理部１２ｘｂａと受信処理部１２ｘｂｂとを備える。処理部１２ｘｂは、例えば、カード状の形状をしている。その場合、送信処理部１２ｘｂａと受信処理部１２ｘｂｂとは、例えば、ともに、当該カード状の形状の処理部１２ｘｂの内部、上部又は下部に形成された回路である。
【００６１】
第一切替部２１２ａは、端子２９ｂａに接続された回線３８ａを回線３８ｂを介して送信処理部１２ｘｂａに接続する。ここで、端子２９ｂａは、図１に表す公衆網３３からインタフェース１４を介して送られた情報信号が入力される端子である。
【００６２】
第一切替部２１２ａは、さらに、端子２９ａａに接続された回線３８ｄを回線３８ｃを介して送信処理部１２ｘｂａに接続する。ここで、端子２９ａａは、図１に表すアンテナ１５に接続され、アンテナ１５に対し無線空間に対し電波を放出するための信号を印加するための端子である。
【００６３】
送信処理部１２ｘｂａは、回線３８ｂから入力された情報信号を、アンテナ１５に電波を放出させるための信号に変換する前記第二の処理を行う部分である。
【００６４】
第一切替部２１２ａは、制御部２１４ａからの指示により、回線の切り替えを行う。当該切り替えは、回線３８ａ及び３８ｄの各々に接続されている回線３８ｂ及び回線３８ｃの、ある処理部の送信処理部（送信処理部１２ｘｂａに相当）に接続された回線（回線３８ｂ及び回線３８ｃに相当）への切り替えである。第一切替部２１２ａの構成の詳細例及び第一切替部２１２ａが行う回線切り替え動作例については後述する。
【００６５】
第二切替部２１３ａは、端子２９ｂｂに接続された回線３７ａを回線３７ｂを介して受信処理部１２ｘｂｂに接続する。ここで、端子２９ｂｂは、図１に表す公衆網３３に対してインタフェース１４を介して情報信号を出力する端子である。
【００６６】
第二切替部２１３ａは、また、端子２９ａｂに接続された回線３７ｄを回線３７ｃを介して受信処理部１２ｘｂｂに接続する。ここで、端子２９ａｂは、図１に表すアンテナ１５に接続され、アンテナ１５が無線空間を介して電波を受け取ることにより生じる電気信号を選択部２１ｂに入力するための端子である。
【００６７】
受信処理部１２ｘｂｂは、回線３７ｂから入力された情報信号を、公衆網３３に出力するための信号に変換する前記第一の処理を行う部分である。
【００６８】
第二切替部２１３ａは、また、制御部２１４ａからの指示により、回線の切り替えを行う。当該切り替えは、回線３７ａ及び３７ｄの各々に接続されている回線３７ｂ及び回線３７ｃの、ある処理部の受信処理部（受信処理部１２ｘｂｂに相当）と接続された回線（回線３７ｂ及び回線３７ｃに相当）への切り替えである。当該受信処理部（受信処理部１２ｘｂｂに相当）は、上述の送信処理部（送信処理部１２ｘｂａに相当）と同じ処理部に属する受信処理部である。第二切替部２１３ａの構成の詳細例及び第二切替部２１３ａ行う回線切り替え動作例については後述する。
【００６９】
第三切替部２１５ａは、制御部２１４ａからの指示により、回線の切り替えを行う。当該切り替えは、回線３６ｂに接続されている回線３６ａの、ある処理部の送信処理部（送信処理部１２ｘｂａ）と受信処理部（受信処理部１２ｘｂｂに相当）とに接続された回線（回線３６ａに相当）への切り替えである。第三切替部２１５ａの構成の詳細例及び第三切替部２１５ａが行う切り替え動作例については後述する。
【００７０】
制御部２１４ａは、記録部２４ａから読み出した呼割当時間の積算値の集計結果から切り替える処理部を選択する。当該切り替える処理部には、切り替える前の処理部が含まれても構わない。切り替える前の処理部を選択した場合には、処理部の切り替えは行われないことになる。
【００７１】
送信処理部１２ｘｂａ及び受信処理部１２ｘｂｂは、回線３６ａ、第三切替部２１５ａ及び回線３６ｂを介して制御部２１４ａに接続されている。
【００７２】
回線３８ｂを介して新たな呼に係る情報信号が送信処理部１２ｘｂａに入力された場合は、送信処理部１２ｘｂａは回線３６ａ、第三切替部２１５ａ及び回線３６ｂを介して、その旨を表す情報を制御部２１４ａに送る。また、ある呼に係る情報信号の送信処理部１２ｘｂａへの入力が終了した場合は、送信処理部１２ｘｂａは回線３６ａ、第三切替部２１５ａ及び回線３６ｂを介して、その旨を表す情報を制御部２１４ａに送る。
【００７３】
回線３７ｃを介して新たな呼に係る情報信号が受信処理部１２ｘｂｂに入力された場合は、受信処理部１２ｘｂｂは回線３６ａ、第三切替部２１５ａ及び回線３６ｂを介して、その旨を表す情報を制御部２１４ａに送る。また、ある呼に係る情報信号の受信処理部１２ｘｂｂへの入力が終了した場合は、受信処理部１２ｘｂｂは回線３６ａ、第三切替部２１５ａ及び回線３６ｂを介して、入力が終了した旨を表す情報を制御部２１４ａに送る。
【００７４】
制御部２１４ａは、回線３６ａ、第三切替部２１５ａ及び回線３６ｂを介して、送信処理部１２ｘｂａ及び受信処理部１２ｘｂｂのいずれかから新たな呼に係る情報信号の処理部１２ｘｂへの入力の開始を表す情報を受けた場合は、当該情報を検出する。そして、制御部２１４ａは、当該検出により、新たな呼に係る情報信号の処理部１２ｘｂへの入力の開始を表す通知である第一通知を集計部２２ａに対して送る。
【００７５】
制御部２１４ａは、また、回線３６ａ、第三切替部２１５ａ及び回線３６ｂを介して、送信処理部１２ｘｂａ及び受信処理部１２ｘｂｂのいずれかから、当該呼に係る情報信号の処理部１２ｘｂへの入力の終了を表す情報を受けた場合は、当該情報を検出する。そして、制御部２１４ａは、当該検出により、当該呼に係る一連の情報信号の処理部１２ｘｂへの入力の一続きの終了を表す通知である第二通知を集計部２２ａに対して送る。
【００７６】
図４は、図３に表す第一切替部２１２ａの例である第一切替部２１２ａａ、図３に表す第二切替部２１３ａの例である第二切替部２１３ａａ及び図３に表す第三切替部２１５ａの例である第三切替部２１５ａａの構成を表す概念図である。図４には、回線群４１ａ乃至４１ｅ、端子群２８ａ乃至２８ｅ、回線３６ｂ、３７ａ、３７ｄ、３８ａ、３８ｄ、及び端子２９ｈ、２９ｉ、２９ｊ、２９ｋ、２９ｌを併せて表してある。
【００７７】
図４は、図２に表す処理部群１２の処理部の数Ｎが１０の場合に相当する場合を表す。
【００７８】
回線群４１ａ乃至４１ｅの各々は、処理部群１２の処理部の数Ｎと等しい１０の回線を備える。
【００７９】
回線群４１ａの各回線は、図３に表す回線３８ｃに相当する回線である。そして、回線群４１ａの各回線は、図４に表す上下の順に図２に表す処理部群１２の各処理部の送信処理部（図３に表す送信処理部１２ｘｂａに相当）に接続されている。
【００８０】
回線群４１ｂの各回線は、図３に表す回線３８ｂに相当する回線である。そして、回線群４１ｂの各回線は、図４に表す上下の順に図２に表す処理部群１２の各処理部の送信処理部（図３に表す送信処理部１２ｘｂａに相当）に接続されている。
【００８１】
回線群４１ｃの各回線は、図３に表す回線３６ａに相当する回線である。そして、回線群４１ｃの各回線は、図４に表す上下の順に図２に表す処理部群１２の各処理部の送信処理部（図３に表す送信処理部１２ｘｂａに相当）及び受信処理部（図３に表す受信処理部１２ｘｂｂ）に接続されている。
【００８２】
回線群４１ｄの各回線は、図３に表す回線３７ｃに相当する回線である。そして、回線群４１ｄの各回線は、図４に表す上下の順に図２に表す処理部群１２の各処理部の受信処理部（図３に表す受信処理部１２ｘｂｂに相当）に接続されている。
【００８３】
回線群４１ｅの各回線は、図３に表す回線３７ｂに相当する回線である。そして、回線群４１ｅの各回線は、図４に表す上下の順に図２に表す処理部群１２の各処理部の受信処理部（図３に表す受信処理部１２ｘｂｂに相当）に接続されている。
【００８４】
回線３６ｂ、３７ａ、３７ｄ、３８ａ、３８ｄは、図３に表す回線３６ｂ、３７ａ、３７ｄ、３８ａ、３８ｄである。
【００８５】
図４における点線の直線は、当該線で結ばれた端子間が電気的に接続されていることを表す。
【００８６】
図４は、回線３８ｄの端子２９ｈは回線群４１ａの回線３８ｃｉの端子２９ｃｉに電気的に接続されている状態を表す。回線３８ｄの端子２９ｈは回線群４１ａの回線３８ｃｉの端子２９ｃｉ以外の端子とは電気的に接続されていない。
【００８７】
また、図４は、回線３７ｄの端子２９ｉは回線群４１ｂの回線３８ｂｉの端子２９ｄｉに電気的に接続されている状態を表す。回線３７ｄの端子２９ｉは回線群４１ｂの回線３８ｂｉの端子２９ｄｉ以外の端子とは電気的に接続されていない。
【００８８】
また、図４は、回線３６ｂの端子２９ｊは回線群４１ｃの回線３６ａｉの端子２９ｅｉに電気的に接続されている状態を表す。回線３６ｂの端子２９ｊは回線群４１ｃの回線３６ａｉの端子２９ｅｉ以外の端子とは電気的に接続されていない。
【００８９】
また、図４は、回線３８ａの端子２９ｋは回線群４１ｄの回線３７ｃｉの端子２９ｆｉに電気的に接続されている状態を表す。回線３８ａの端子２９ｋは回線群４１ｄの回線３７ｃｉの端子２９ｆｉ以外の端子とは電気的に接続されていない。
【００９０】
また、図４は、回線３６ｂの端子２９ｊは回線群４１ｃの回線３６ａｉの端子２９ｅｉに電気的に接続されている状態を表す。回線３６ｂの端子２９ｊは回線群４１ｃの回線３６ａｉの端子２９ｅｉ以外の端子とは電気的に接続されていない。
【００９１】
また、図４は、回線３７ａの端子２９ｌは回線群４１ｅの回線３７ｂｉの端子２９ｇｉに電気的に接続されている状態を表す。回線３７ａの端子２９ｌは回線群４１ｅの回線３７ｂｉの端子２９ｇｉ以外の端子とは電気的に接続されていない。
【００９２】
以上、図４に表す状態においては、回線３８ｄ、３７ｄ、３６ｂ、３８ａ、３７ａは、この順に、回線３８ｃｉ、３８ｂｉ、３６ａｉ、３７ｃｉ、３７ｂｉに接続されている。回線３８ｃｉ、３８ｂｉ、３６ａｉ、３７ｃｉ、３７ｂｉは、図２に表す同じ処理部群１２に属する同じ処理部に接続された回線である。また、当該同じ処理部は、図２における処理部群１２に属する上から４番目の図示が省略されている処理部である。
【００９３】
そして、第一切替部２１２ａａ、第二切替部２１３ａａ及び第三切替部２１５ａａは、端子２９ｈ、２９ｉ、２９ｊ、２９ｋ、２９ｌに接続する端子群２８ａ、２８ｂ、２８ｃ、２８ｄ、２８ｅの各々に属する端子を切り替えることができる。第一切替部２１２ａａ、第二切替部２１３ａａ及び第三切替部２１５ａａは、当該切り替えを、制御部２１４ａからの指示により、同じ処理部に接続された各回線に切り替える。すなわち、第一切替部２１２ａａ、第二切替部２１３ａａ及び第三切替部２１５ａａは、制御部２１４ａからの指示により、回線を接続する処理部を切り替える。
【００９４】
第一切替部２１２ａａ、例えば、端子２９ｈと端子群２８ａの各端子との間、及び、端子２９ｉと端子群２８ｂの各端子との間に図示しないスイッチを備えている。そして、第二切替部２１３ａａは、例えば、端子２９ｋと端子群２８ｄの各端子との間、及び、端子２９ｌと端子群２８ｅの各端子との間に図示しないスイッチを備えている。さらに、第三切替部２１５ａａは、例えば、端子２９ｊと端子群２８ｃの各端子との間に図示しないスイッチを備えている。
【００９５】
そして、第一切替部２１２ａａ、第二切替部２１３ａａ及び第三切替部２１５ａａは、制御部２１４ａからの指示により、これらのスイッチを切り替えることにより、上記切り替えを行う。
【００９６】
図５は、図２に表す処理部群１２の処理部を、図４に表す場合に相当する、処理部群１２の上から４番目の処理部から、処理部群１２の上から９番目の処理部に切り替えた状態を表す概念図である。
【００９７】
図５に表す状態において、端子２９ｈ、２９ｉ、２９ｊ、２９ｋ、２９ｌは、この順に、端子２９ｃｊ、２９ｄｊ、２９ｅｊ、２９ｆｊ、２９ｇｊに電気的に接続されている。端子２９ｃｊ、２９ｄｊ、２９ｅｊ、２９ｆｊ、２９ｇｊは、端子群２８ａ、２８ｂ、２８ｃ、２８ｄ、２９ｅの各々における上から９番目の端子である。
【００９８】
図６は、図２に表す制御装置１３ａの選択部２１ａが行う処理の処理フロー例を表す概念図である。
【００９９】
選択部２１ａは、まず、Ｓ１０１の処理として、選択する処理部の変更の検討を行うかについての判定を行う。選択部２１ａは、当該判定を、例えば外部からの入力情報の有無により行う。当該入力情報は、例えば、選択する処理部の変更を行うべき所定のタイミングになったことを表す情報である。あるいは、当該入力情報は、例えば、前回変更を検討してから所定の時間が経過したことを表す情報である。
【０１００】
選択部２１ａが図３に表す選択部２１ｂである場合は、当該判定は、制御部２１４ａにより行われる。
【０１０１】
選択部２１ａは、Ｓ１０１の処理により選択する処理部の変更の検討を行うことを判定した場合は、Ｓ１０２の処理を行う。
【０１０２】
一方、選択部２１ａは、Ｓ１０１の処理により選択する処理部の変更の検討を行うことを判定しなかった場合は、Ｓ１０３の処理を行う。
【０１０３】
選択部２１ａは、Ｓ１０２の処理を行う場合は、同処理として、選択する処理部の変更についての検討を行う。選択部２１ａは、当該検討を、集計部２２ａが送る情報により行う。Ｓ１０２の詳細は後述する。
【０１０４】
選択部２１ａが図３に表す選択部２１ｂである場合は、当該検討は、制御部２１４ａにより行われる。
【０１０５】
選択部２１ａは、Ｓ１０３の処理を行う場合は、同処理として、新たな呼に係る情報信号が、選択している処理部に到着したかを判定する。
【０１０６】
選択部２１ａが図３に表す選択部２１ｂである場合は、当該判定は制御部２１４ａにより行われる。その場合、制御部２１４ａは、当該判定を、送信処理部１２ｘｂａ及び受信処理部１２ｘｂｂのうちのいずれかから回線３６ａ、第三切替部２１５ａ及び回線３６ｂを介して受けた、新たな呼に係る情報信号の到着を表す情報により行う。
【０１０７】
選択部２１ａは、Ｓ１０３の処理により新たな呼に係る情報信号が到着したことを判定した場合は、Ｓ１０５の処理を行う。
【０１０８】
一方、選択部２１ａは、Ｓ１０３の処理により新たな呼に係る情報信号が到着したことを判定しなかった場合は、Ｓ１０３の処理を再度行う。
【０１０９】
そして、選択部２１ａは、Ｓ１０５の処理を行う場合は、同処理として、第一通知を集計部２２ａに送る。
【０１１０】
選択部２１ａが図３に表す選択部２１ｂである場合は、第一通知は、制御部２１４ａにより送られる。
【０１１１】
そして、選択部２１ａは、Ｓ１０６の処理として、当該呼に係る情報信号の処理部への到着が終了したかを判定する。
【０１１２】
選択部２１ａが図３に表す選択部２１ｂである場合は、当該判定は、制御部２１４ａにより行われる。その場合、制御部２１４ａは、当該判定を、送信処理部１２ｘｂａ及び受信処理部１２ｘｂｂのうちのいずれかから回線３６ａを通じて受けた、当該呼に係る情報流入の終了を表す情報により行う。
【０１１３】
選択部２１ａは、Ｓ１０６の処理により当該呼に係る情報信号の処理部への到着が終了したことを判定した場合は、Ｓ１０７の処理を行う。
【０１１４】
一方、選択部２１ａは、Ｓ１０６の処理により当該呼に係る情報信号の処理部への到着が終了したことを判定しなかった場合は、Ｓ１０６の処理を再度行う。
【０１１５】
選択部２１ａは、Ｓ１０７の処理を行う場合は、第二通知を集計部２２ａに送付する。
【０１１６】
選択部２１ａが図３に表す選択部２１ｂである場合は、当該送付は制御部２１４ａにより行われる。
【０１１７】
そして、選択部２１ａは、Ｓ１０８の処理として、図６に表す処理を終了するかを判定する。選択部２１ａは当該判定を例えば外部からの終了情報の入力の有無を判定することにより行う。
【０１１８】
選択部２１ａは、Ｓ１０８の処理により図６に表す処理を終了することを判定した場合は、図６に表す処理を終了する。
【０１１９】
一方、選択部２１ａは、Ｓ１０８の処理により図６に表す処理を終了することを判定しなかった場合は、Ｓ１０１の処理を行う。
【０１２０】
図６に表す処理においては、制御装置１３ａは、選択する処理部の変更を検討するかについて判定することにより、入力信号を入力する予定の処理部の選択を行う。そのため、制御装置１３ａは、各処理部における過去の呼割当時間の積算値の、より細やかな調整を行うことができる。
【０１２１】
図７は、図６に表すＳ１０２の処理の処理フロー例を表す概念図である。
【０１２２】
図６に表すＳ１０１のＹｅｓの後に、選択部２１ａは、Ｓ１０２−１の処理として、処理部群１２の各処理部についての過去の呼割当時間の積算値の集計結果を、記録部２４ａから読み込む。
【０１２３】
そして、選択部２１ａは、Ｓ１０２−２の処理として、当該集計結果において過去の呼割当時間の積算値が最も小さい処理部を選択する。
【０１２４】
そして、選択部２１ａは、図６に表すＳ１０３の処理を行う。
【０１２５】
図７に表すＳ１０２−２の処理に代えて、選択部２１ａは、図８に表す処理を行うこともできる。図８は、図７に表すＳ１０２−２の処理を置き換える処理の処理フローを表す概念図である。
【０１２６】
図７に表すＳ１０２−１の処理の次に、選択部２１ａは、Ｓ１０２−２ａの処理として、前記呼割当時間の積算値の集計結果に、前記呼割当時間の積算値が閾値Ｔｔｈよりも短い処理部があるかを判定する。ここで、閾値Ｔｔｈは予め定められているものとする。
【０１２７】
選択部２１ａは、Ｓ１０２−２ａの処理により、呼割当時間の積算値が閾値Ｔｔｈよりも短い処理部があることを判定した場合は、Ｓ１０２−２ｂの処理を行う。
【０１２８】
一方、選択部２１ａは、Ｓ１０２−２ａの処理により、呼割当時間の積算値が閾値Ｔｔｈよりも短い処理部があるかを判定しなかった場合は、Ｓ１０２−２ｃの処理を行う。
【０１２９】
選択部２１ａは、Ｓ１０２−２ｂの処理を行う場合は、同処理として、呼割当時間の積算値が閾値Ｔｔｈよりも短い処理部群１２の処理部のうちの任意の一つを選択する。
【０１３０】
そして、選択部２１ａは、図６に表すＳ１０３の処理を行う。
【０１３１】
一方、選択部２１ａは、Ｓ１０２−２ｃの処理を行う場合は、処理部群１２の処理部のうちの任意の一つを選択する。
【０１３２】
そして、選択部２１ａは、図６に表すＳ１０３の処理を行う。
【０１３３】
図９は、図２に表す集計部２２ａが行う処理の処理フロー例を表す概念図である。
【０１３４】
まず、集計部２２ａは、Ｓ２０１の処理として、選択部２１ａから第一通知を受けたかを判定する。第一通知は、選択部２１ａが、図６に表すＳ１０５の処理により集計部２２ａに送る通知である。当該第一通知には、当該第一通知に係る呼の情報信号の受け取りが開始された処理部の識別情報が含まれている。
【０１３５】
集計部２２ａは、Ｓ２０１の処理により第一通知を受けたことを判定した場合は、Ｓ２０２の処理を行う。
【０１３６】
一方、集計部２２ａは、Ｓ２０１の処理により第一通知を受けたことを判定しなかった場合は、Ｓ２０１の処理を再度行う。
【０１３７】
集計部２２ａは、Ｓ２０２の処理を行う場合は、同処理として、タイマー２３ａによる経過時間の計測をスタートさせる。
【０１３８】
そして、集計部２２ａは、Ｓ２０３の処理として、第二通知を受けたかを判定する。当該第二通知は、Ｓ２０１のＹｅｓにより受けたことを判定した第一通知に係る呼についての情報信号の所定の処理部による受取が終了したことを表す第二通知である。
【０１３９】
集計部２２ａは、Ｓ２０３の処理により第二通知を受けたことを判定した場合は、Ｓ２０４の処理を行う。
【０１４０】
一方、集計部２２ａは、Ｓ２０３の処理により第二通知を受けたことを判定しなかった場合は、Ｓ２０３の処理を再度行う。
【０１４１】
集計部２２ａは、Ｓ２０４の処理を行う場合は、同処理として、経過時間の導出、集計及び集計結果の更新を行う。集計部２２ａは、当該経過時間の導出を、第二通知を受けたことを判定した時刻におけるタイマー２３ａによる経過時間の値を求めることにより行う。そして、集計部２２ａは、前記集計を、当該第二通知に係る処理部の過去の経過時間の積算値に、本処理により導出した経過時間を加算することにより行う。そして、集計部２２ａは、集計結果の更新を、記録部２４ａに記録されている前記加算前の経過時間を、前記加算後の経過時間で置き換えることにより行う。
【０１４２】
そして、集計部２２ａは、Ｓ２０５の処理として、図９に表す処理を終了するかを判定する。集計部２２ａは、当該判定を、例えば外部からの終了情報の入力により行う。
【０１４３】
集計部２２ａは、Ｓ２０５の処理により図９に表す処理を終了することを判定した場合は、図９に表す処理を終了する。
【０１４４】
集計部２２ａは、Ｓ２０５の処理により図９に表す処理を終了することを判定しなかった場合は、Ｓ２０１の処理を行う。
【０１４５】
図１に表す制御装置１３は、到着した複数の呼に係る情報信号を、処理部群１２から選択した複数の処理部に振り分け、当該複数の呼に係る情報信号の処理を振り分けた複数の処理部に並行して行わせる場合も想定される。
【０１４６】
複数の処理部に並行して処理を行わせる場合には、制御装置１３は、例えば、新たに到着した呼に係る情報信号を振り分ける予定の処理部を特定する。そして、制御装置１３は、新たに呼に係る情報信号が到着した場合には、特定した処理部に、当該呼に係る情報信号を送り処理を行わせる。
【０１４７】
図１０は、制御装置１３が新たに呼を割り当てる処理部を設定する処理の処理フロー例を表す概念図である。
【０１４８】
制御装置１３は、まず、Ｓ３０１の処理として、新たに呼を割り当てることの可能な処理部があるかを判定する。ここで、新たに呼を割り当てることの可能な処理部は、呼が割り当てられていないか、呼を割り当てるための複数のチャネルを備えており呼が割り当てられていないチャネルがある処理部である。
【０１４９】
制御装置１３は、Ｓ３０１の処理により新たに呼を割り当てることが可能な処理部があることを判定した場合には、Ｓ３０２の処理を行う。
【０１５０】
一方、制御装置１３は、Ｓ３０１の処理により新たに呼を割り当てることが可能な処理部があることを判定しなかった場合には、Ｓ３０１の処理を再度行う。
【０１５１】
制御装置１３は、Ｓ３０２の処理を行う場合には、同処理として、処理部群１２の各処理部についての、過去の呼割当時間の積算値の集計結果を読み込む。
【０１５２】
そして、Ｓ３０３の処理として、新たに呼を割り当てられることが可能と判定した処理部のうち、最も前記積算値の少ない処理部を、次に新たに到着した呼に係る情報信号を割り当てる予定の処理部に設定する。
【０１５３】
そして、制御装置１３は、Ｓ３０４の処理として、図１０に表す処理を終了するかを判定する。制御装置１３は、当該判定を、例えば、外部からの終了信号の入力の有無を判定することにより行う。
【０１５４】
制御装置１３は、Ｓ３０４の処理により図１０に表す処理を終了することを判定した場合は、図１０に表す処理を終了する。
【０１５５】
一方、制御装置１３は、Ｓ３０４の処理により図１０に表す処理を終了することを判定しなかった場合は、Ｓ３０１の処理を再度行う。
【０１５６】
新たな呼に係る情報信号が到着した場合は、制御装置１３は、その時点で次に新たに到着した呼に係る情報信号を割り当てる予定の処理部として設定されている処理部に割り当てる。
【０１５７】
図１に表す制御装置１３は、処理部群１２の各処理部について、呼割当時間の積算値を集計し、記録する。そして、制御装置１３は、選択する処理部の更新を行う場合には、過去の前記呼割当時間の積算値が少ない処理部を優先的に選択する選択対象の処理部の更新を行う。そのため、制御装置１３は、前記呼割当時間の積算値がいずれの処理部においても大きくは相違しないようにすることができる。一般に部品の故障発生率は、その部品の稼働時間の積算値に依存する。そして、各処理部における過去の呼割当時間の積算値は各処理部の稼働時間の積算値と強い相関がある値である。そのため、制御装置１３は、処理部群１２の各処理部の故障の発生を遅らせ、各処理部の寿命を延ばすことができる。
【０１５８】
図１に表す制御装置１３は中央演算処理装置（ＣＰＵ）の稼働率を測定する稼働率測定部２５ａを備えることもできる。
【０１５９】
図１１は、図１に表す制御装置１３の第二の例である制御装置１３ｂの構成を表す概念図である。
【０１６０】
制御装置１３ｂは、図２に表す構成に加えて、稼働率測定部２５ａを備える。
【０１６１】
稼働率測定部２５ａは、図示しない呼制御を行う中央演算処理装置（ＣＰＵ）の使用率を測定し、測定結果を逐次集計部２２ａに送る。ここで、制御装置１３ｂは、ハードウエア構成としてＣＰＵを備え、主な呼制御に係る処理をＣＰＵにおいて行うものとする。
【０１６２】
集計部２２ａは、無線リソース再配置トリガーが発生した際に、以下の処理を行う。なお、再配置トリガーについては特許文献１に開示があるので説明を省略する。
【０１６３】
集計部２２ａは、前記測定したＣＰＵ使用率が、前記第１の閾値よりも小さく、あらかじめ定めた第２の閾値よりも大きい場合には、選択している処理部に収容されているチャネルの範囲内でチャネルの再配置処理を行う。
【０１６４】
一方、集計部２２ａは、前記測定したＣＰＵ使用率があらかじめ定めた第１の閾値よりも大きい場合には、前記無線インタフェースに収容されている呼に対応するチャネルを別の空きのチャネルに設定変更し直す再配置処理を行わない。
【０１６５】
なお、制御装置１３ｂが行う、上述のチャネルの再配置処理の詳細については、特許文献１に開示がある。従い、ここではチャネルの再配置処理の詳細についての説明は省略する。
【０１６６】
制御装置１３ｂは、チャネルの再配置についてＣＰＵの使用率を考慮する。そして、制御装置１３ｂは、処理負荷の高い場合には再配置動作を行わない。また、制御装置１３ｂは、処理負荷の低い場合には再配置を行う。これらにより、制御装置１３ｂは、前述の効果に加えて、無線リソースを有効利用する通常の呼設定を阻害しない効率的な無線リソース管理を行うことができるという効果を奏する。
［効果］
本実施形態の制御装置は、処理部群の各処理部について、呼割当時間の積算値を集計し、記録する。そして、本実施形態の制御装置は、選択する処理部の更新を行う場合には、過去の割当時間の積算値が少ない処理部を優先的に選択する更新を行う。そのため、制御装置は、過去の呼割当時間の積算値がいずれの処理部においても大きくは相違しないようにすることができる。一般に部品の故障発生率は、その部品の稼働時間の積算値に依存する。そして、各処理部における過去の呼割当時間の積算値は各処理部の稼働時間の積算値と強い相関がある値である。そのため、本実施形態の制御装置は、処理部群の各処理部の故障の発生を遅らせ、各処理部の寿命を延ばすことができる。
【０１６７】
以上においては、制御装置１３は、選択する処理部の変更を行った場合には、すべての呼についての情報信号を変更後の一つの処理部が処理する場合を説明した。しかしながら、本実施形態の制御装置は、呼についての情報信号を複数の処理部に分散させて処理させても構わない。その場合において、本実施形態の制御装置は、当該複数の処理部の一部の処理部の選択を変更しても構わない。
【０１６８】
また、以上においては、各処理部における過去の呼割当時間の積算値により処理部の選択を変更する場合を説明した。しかしながら、処理部の選択を変更するために用いる値は、各処理部における過去の呼割当時間の積算値に限らない。処理部の選択を変更するために用いる値は、各処理部における過去の呼割当時間の積算値を含む各処理部における過去の信号処理に係る処理時間を表す値の積算値であっても構わない。
【０１６９】
また、以上の説明においては、入力信号を入力する処理部として、各処理部において行われた過去の前記信号処理に係る処理時間を表す値の積算値が所定の閾値より少ない処理部を優先的に選択する制御装置の例を説明した。また、以上の説明においては、入力信号を入力する処理部として、前記積算値が最小の処理部を優先的に選択する制御装置の例も説明した。しかしながら、前記積算値により処理部を選択する方法は上記に限られない。
【０１７０】
本発明の制御装置は、例えば、処理部として前記積算値が最小値から所定の範囲内にある前記積算値の処理部を優先的に選択する制御装置であっても構わない。
【０１７１】
また、本発明の制御装置は、例えば、処理部として前記積算値が最小値から前記積算値の少なさにおいて所定の順位内にある前記積算値の処理部を優先的に選択する制御装置であっても構わない。
【０１７２】
本発明の制御装置は、前記積算値が前記積算値の最大値より小さい処理部の選択を行う制御装置であればよい。
【０１７３】
図１２は、本発明の制御装置の最小構成である制御装置１３ｘを表す概念図である。
【０１７４】
制御装置１３ｘは、入力された入力信号の信号処理を行う図示しない複数の処理部から、各処理部において行われた過去の前記信号処理に係る処理時間を表す値の積算値により一の処理部を選択し、前記一の処理部に前記入力信号を入力する。
【０１７５】
制御装置１３ｘは、各処理部において行われた過去の前記信号処理に係る処理時間を表す値の積算値が前記積算値の最大値より小さい一の処理部の選択を行い、前記一の処理部に、前記入力信号を入力し、前記信号処理を行わせる。
【０１７６】
前記各処理部において故障が発生するまでの時間は、前記各処理部において、過去に信号処理が行われた時間の積算値に依存する。そのため、各処理部において行われた過去の前記信号処理に係る処理時間を表す値の積算値が前記積算値の最大値より小さい一の処理部を選択することにより、前記各処理部における過去に信号処理が行われた時間の積算値の均等化を図ることができる。
【０１７７】
そのため、制御装置１３ｘは、上記構成により、［発明の効果］の項に記載した効果を奏する。
【０１７８】
以上、本発明の各実施形態を説明したが、本発明は、上記した実施形態に限定されるものではなく、本発明の基本的技術的思想を逸脱しない範囲で更なる変形、置換、調整を加えることができる。例えば、各図面に示したネットワーク構成や要素の構成は、本発明の理解を助けるための一例であり、これらの図面に示した構成に限定されるものではない。
【０１７９】
また、上記の実施形態の一部または全部は、以下の付記のようにも記述され得るが、以下には限られない。
【０１８０】
（付記Ａ１）
入力された入力信号の信号処理を行い得る複数の処理部から、各処理部において行われた過去の前記信号処理に係る処理時間を表す値の積算値が前記積算値の最大値より小さい一の処理部の選択を行い、前記一の処理部に前記入力信号を入力する、制御装置。
【０１８１】
（付記Ａ１．１）
前記処理時間を表す値が、呼に係る前記信号処理に割り当てられた時間である、付記Ａ１に記載された制御装置。
【０１８２】
（付記Ａ１．２）
前記処理部の選択を、前記処理部の選択を行うことを判定した場合に行う、付記Ａ１又は付記Ａ１．１に記載された制御装置。
【０１８３】
（付記Ａ１．３）
前記処理部の選択を所定のタイミングごとに行う、付記Ａ１乃至付記Ａ１．２のうちのいずれか一に記載された制御装置。
【０１８４】
（付記Ａ１．４）
前記所定のタイミングが等間隔のタイミングである、付記Ａ１乃至付記Ａ１．３のうちのいずれか一に記載された制御装置。
【０１８５】
（付記Ａ２）
前記処理部の選択を、前記積算値が所定の閾値より少ない処理部について優先的に行う、付記Ａ１乃至付記Ａ１．３のうちのいずれか一に記載された制御装置。
【０１８６】
（付記Ａ２．１）
前記処理部の選択を、前記積算値が最小値から所定の範囲内にある前記積算値の処理部について優先的に行う、付記Ａ１乃至付記Ａ２のうちのいずれか一に記載された制御装置。
【０１８７】
（付記Ａ２．２）
前記処理部の選択を、前記積算値が最小値から前記積算値の少なさにおいて所定の順位内にある前記積算値の処理部について優先的に行う、付記Ａ１乃至付記Ａ２．１のうちのいずれか一に記載された制御装置。
【０１８８】
（付記Ａ２．３）
前記処理部の選択を、前記積算値が最小の処理部について優先的に行う、付記Ａ１乃至付記Ａ２．２のうちのいずれか一に記載された制御装置。
【０１８９】
（付記Ａ３）
前記信号処理が、アンテナが受信した無線電波に係る受信信号に対する処理である、付記Ａ１乃至付記Ａ２のうちのいずれか一に記載された制御装置。
【０１９０】
（付記Ａ４）
前記信号処理が、前記無線電波に係る受信信号を公衆網に送信するための信号に変換する処理である、付記Ａ３に記載された制御装置。
【０１９１】
（付記Ａ６）
前記信号処理が、公衆網から送られた受信信号に対する処理である、付記Ａ１乃至付記Ａ５のうちのいずれか一に記載された選択装置。
【０１９２】
（付記Ａ７）
前記信号処理が、前記公衆網から送られた受信信号をアンテナを介して無線空間に放出するための信号に変換する処理である、付記Ａ６に記載された制御装置。
【０１９３】
（付記Ａ８）
前記放出するための信号を前記アンテナに送る付記Ａ７に記載された制御装置。
【０１９４】
（付記Ａ１０）
前記積算値を前記複数の処理部の各々から送られる前記処理時間を表す値から導出する、付記Ａ９に記載された制御装置。
【０１９５】
（付記Ａ１１）
前記複数の処理部の各々が前記信号処理を行うための複数のチャネルを備える、付記Ａ１乃至付記Ａ１０に記載された制御装置。
【０１９６】
（付記Ａ１２）
前記複数のチャンネルから、前記信号処理を行わせるための、一または二以上のチャネルの選択を行う、付記Ａ１１に記載された制御装置。
【０１９７】
（付記Ａ１３）
呼制御を行う中央演算処理装置の使用率を測定する稼働率測定部をさらに備え、前記使用率から、チャネルの選択の優先順位を定める、付記Ａ１２に記載された制御装置。
【０１９８】
（付記Ａ１４）
前記複数の処理部の各々がカード状である付記Ａ１乃至付記Ａ１３に記載された制御装置。
【０１９９】
（付記Ｂ１）
付記Ａ１乃至付記Ａ１４のうちのいずれか一に記載された制御装置と前記複数の処理部とを備える通信装置。
【０２００】
（付記Ｂ２）
無線基地局である付記Ｂ１に記載された通信装置。
【０２０１】
（付記Ｃ１）
入力された入力信号の信号処理を行い得る複数の処理部から、各処理部の過去の呼に係る処理に割り当てられた時間の積算値が前記積算値の最大値より小さい一の処理部の選択を行う、制御方法。
【０２０２】
（付記Ｄ１）
入力された入力信号の信号処理を行い得る複数の処理部から、各処理部の過去の呼に係る処理に割り当てられた時間の積算値が前記積算値の最大値より小さい一の処理部の選択を行う、処理をコンピュータに実行させる制御プログラム。
【符号の説明】
【０２０３】
１００    通信システム
１１    無線基地局
１２    処理部群
１２１、１２２、１２３、１２ｘ、１２ｘｂ、１２Ｎ    処理部
１２ｘｂａ    送信処理部
１２ｘｂｂ    受信処理部
１３、１３ａ、１３ｘ    制御装置
１４    インタフェース
１５    アンテナ
２１ａ、２１ｂ    選択部
２１２ａ    第一切替部
２１３ａ    第二切替部
２２ａ    集計部
２３ａ    タイマー
２４ａ    記録部
２５ａ    稼働率測定部
２９ａ、２９ａａ、２９ａｂ、２９ｂ、２９ｂａ、２９ｂｂ、２９ｃｉ、２９ｃｊ、２９ｄｉ、２９ｄｊ、２９ｅｉ、２９ｅｊ、２９ｆｉ、２９ｆｊ、２９ｇｉ、２９ｇｊ、２９ｈ、２９ｉ、２９ｊ、２９ｋ、２９ｌ    端子
３１    移動局
３２    ユーザ端末
３３    公衆網
３５ｘ、３６ａ、３６ｂ、３７ａ、３７ｂ、３７ｃ、３７ｄ、３８ａ、３８ｂ、３８ｃ、３８ｄ、３９ａ、３９ｂ、３９ｃ、３８ｃｉ、３８ｃｊ、３８ｂｉ、３８ｂｊ、３６ａｉ、３６ａｊ、３７ｃｉ、３７ｃｊ、３７ｂｉ、３７ｂｊ、    回線
４１ａ、４１ｂ、４１ｃ、４１ｄ、４１ｅ    回線群
１３１    移動局群
１３２    ユーザ端末群
２１２ａ、２１２ａａ    第一切替部
２１３ａ、２１３ａａ    第二切替部
２１５ａ、２１５ａａ    第三切替部
【図１】
2018022975.tif 000003
【図２】
2018022975.tif 000004
【図３】
2018022975.tif 000005
【図４】
2018022975.tif 000006
【図５】
2018022975.tif 000007
【図６】
2018022975.tif 000008
【図７】
2018022975.tif 000009
【図８】
2018022975.tif 000010
【図９】
2018022975.tif 000011
【図１０】
2018022975.tif 000012
【図１１】
2018022975.tif 000013
【図１２】
2018022975.tif 000014